(57)【要約】【課題】光センサまたは他のシステムからの外部信号による制御状態を表示するとともに当該制御状態を停止することのできるスイッチ装置を有する照明制御システムを提供する。【解決手段】照明制御システム１は、光センサ装置２の検出信号により、外部操作手段１３，１４の操作に応じた制御およびタイムスケジュール制御に優先して照明負荷２１を消灯または調光させるとともにスイッチ装置７の表示手段２６を点灯させるように制御し、この後、スイッチ装置７から操作信号が出力されたときに、光センサ装置２の検出信号に応じた照明負荷２１の制御を停止する制御手段２３を具備する。【選択図】図１
2005276631.tif 000002
【特許請求の範囲】
【請求項１】
照明負荷と；
照明負荷を強制的に点消灯させる外部操作手段と；
照明負荷により照明される照明領域のうち、窓際側の照明領域の明るさを検出する光センサ装置と；
手動操作されるスイッチ部および表示手段を備え、スイッチ部の操作により操作信号を出力するスイッチ装置と；
光センサ装置の検出信号により、外部操作手段の操作に応じた制御およびタイムスケジュール制御に優先して照明負荷を消灯または調光させるとともにスイッチ装置の表示手段を点灯させるように制御し、この後、スイッチ装置から操作信号が出力されたときに、光センサ装置の検出信号に応じた照明負荷の制御を停止する制御手段と；
を具備していることを特徴とする照明制御システム。
【請求項２】
制御手段は、光センサ装置から検出信号が出力されなくなると、前記照明負荷の制御の停止をリセットすることを特徴とする請求項１記載の照明制御システム。
【請求項３】
他のシステムから外部信号を入力する入力部を有し、この入力部に外部信号が入力されたときに制御信号を出力する入力装置と；
手動操作されるスイッチ部および表示手段を備え、スイッチ部の操作により操作信号を出力するスイッチ装置と；
入力装置から出力された制御信号に応じて照明負荷を予め設定した照明状態に制御するとともにスイッチ装置の表示手段を点灯させるように制御し、この後、スイッチ装置から操作信号が出力されたときに、入力装置からの制御信号に応じた照明負荷の制御を停止する制御手段と；
を具備していることを特徴とする照明制御システム。
【発明の詳細な説明】
【技術分野】
【０００１】
本発明は、光センサ装置の検出信号または他のシステムの外部信号により照明負荷の点消灯が制御される照明制御システムに関する。
【背景技術】
【０００２】
光センサが予め設定された所定の明るさを検出すると、点灯している照明ランプを消灯または調光させ、予め設定された時刻になると、照明ランプを点灯または消灯することが行われている。また、防犯や火災などの保安設備や管理設備等の他のシステムからの外部信号により、照明ランプを強制的に予め決められた照明状態にすることが行われている。
【０００３】
そして、光センサや外部信号などによる照明ランプの制御状態を表示することのできる照明制御システムが提案されている（例えば、特許文献１参照。）。この従来技術の照明制御システムは、壁スイッチに点灯モニタおよび消灯モニタからなる動作モニタを具備している。
【０００４】
そして、壁スイッチにより照明ランプを点灯させると点灯モニタが点灯する。この状態で、壁スイッチ以外の照明制御により照明ランプが消灯されると、さらに消灯モニタが点灯するものである。したがって、照明ランプが点灯状態から消灯したときに消灯モニタの点灯を視認することにより、照明ランプが壁スイッチ以外の照明制御によって消灯されたことを判断することができる。
【０００５】
また、壁スイッチにより照明ランプを消灯させると消灯モニタが点灯する。この状態で、壁スイッチ以外の照明制御により照明ランプが点灯されると、さらに点灯モニタが点灯する。したがって、照明ランプが消灯状態から点灯したときに点灯モニタの点灯を視認することにより、照明ランプが壁スイッチ以外の照明制御によって点灯されたことを判断することができる。
【特許文献１】特開平４−２０９４９８号公報（第２頁、第１図）
【発明の開示】
【発明が解決しようとする課題】
【０００６】
特許文献１は、動作モニタの視認により、照明ランプが壁スイッチ以外の制御によって照明制御されていることを判断することができるが、光センサによる制御、予め設定された時刻による制御、すなわちタイムスケジュールによる制御、また、壁スイッチ以外の他の手動操作等による制御、あるいは、他のシステムからの外部信号による制御のいずれによって照明ランプが照明制御されているかを特定することができないという欠点を有する。
【０００７】
また、光センサによる制御は、照明負荷を点消灯させる壁スイッチ等およびタイムスケジュール制御に優先するので、光センサによる制御によって照明ランプが消灯または調光されたとき、光センサによる制御を停止して照明ランプを点灯状態に復帰させたいときに、壁スイッチ等で当該停止をすることができないという問題がある。
【０００８】
また、保安設備や管理設備などの他のシステムからの外部信号により照明ランプが強制的に予め決められた照明状態に制御された後、当該照明状態に制御する理由がなくなっても、他のシステムの故障や従事者の解除忘れなどによって他のシステムから外部信号が送出している限り、当初の照明状態に復帰することができなく、また、壁スイッチ等で強制照明状態を停止することができないということがあった。
【０００９】
本発明は、光センサまたは他のシステムからの外部信号による制御状態を表示するとともに当該制御状態を停止することのできるスイッチ装置を有する照明制御システムを提供することを目的とする。
【課題を解決するための手段】
【００１０】
請求項１に記載の照明制御システムの発明は、照明負荷と；照明負荷を強制的に点消灯させる外部操作手段と；照明負荷により照明される照明領域のうち、窓際側の照明領域の明るさを検出する光センサ装置と；手動操作されるスイッチ部および表示手段を備え、スイッチ部の操作により操作信号を出力するスイッチ装置と；光センサ装置の検出信号により、外部操作手段の操作に応じた制御およびタイムスケジュール制御に優先して照明負荷を消灯または調光させるとともにスイッチ装置の表示手段を点灯させるように制御し、この後、スイッチ装置から操作信号が出力されたときに、光センサ装置の検出信号に応じた照明負荷の制御を停止する制御手段と；を具備していることを特徴とする。
【００１１】
本発明および以下の各発明において、特に言及しない限り、各構成は以下による。
【００１２】
外部操作手段は、壁スイッチやプルスイッチなどのスイッチおよびリモコンを許容する。
【００１３】
「光センサ装置の検出信号に応じた照明負荷の制御を停止する」とは、光センサ装置から検出信号が出力されていても、点灯している照明負荷を消灯または調光させないように制御することを意味する。
【００１４】
本発明によれば、光センサ装置から検出信号が出力されると、点灯している照明負荷が消灯または調光されるとともに、スイッチ装置の表示手段が点灯される。この後、スイッチ装置のスイッチ部が操作され、スイッチ装置から操作信号が出力されると、光センサ装置の検出信号に応じた照明負荷の制御が停止され、照明負荷が点灯状態に制御される。
【００１５】
請求項２に記載の照明制御システムの発明は、請求項１記載の照明制御システムにおいて、制御手段は、光センサ装置から検出信号が出力されなくなると、前記照明負荷の制御の停止をリセットすることを特徴とする。
【００１６】
「照明負荷の制御の停止をリセットする」とは、光センサ装置から検出信号が出力されていても、照明負荷を点灯するように制御していたことを解除して、光センサ装置から検出信号が出力されたときに、点灯している照明負荷を消灯または調光させるように制御することを意味する。
【００１７】
本発明によれば、光センサ装置から検出信号が出力しなくなると、光センサ装置の検出信号に応じた照明負荷の制御の停止がリセットされるので、以後、光センサ装置の検出信号に応じて点灯している照明負荷が消灯または調光するように制御される。
【００１８】
請求項３に記載の照明制御システムの発明は、他のシステムから外部信号を入力する入力部を有し、この入力部に外部信号が入力されたときに制御信号を出力する入力装置と；手動操作されるスイッチ部および表示手段を備え、スイッチ部の操作により操作信号を出力するスイッチ装置と；入力装置から出力された制御信号に応じて照明負荷を予め設定した照明状態に制御するとともにスイッチ装置の表示手段を点灯させるように制御し、この後、スイッチ装置から操作信号が出力されたときに、入力装置からの制御信号に応じた照明負荷の制御を停止する制御手段と；を具備していることを特徴とする。
【００１９】
「他のシステム」とは、本発明の照明制御システム以外のシステムをいい、同一建物内のシステム、外部の建物のシステムを問わない。同一建物のシステムとしては、例えば管理室の管理システムであり、外部の建物のシステムは、例えば警備会社の警備システムである。
【００２０】
「予め設定した照明状態」とは、照明負荷の点灯、消灯または調光をいう。
【００２１】
「照明負荷の制御を停止する」とは、他のシステムから外部信号が入力装置に入力されていても、制御手段は、外部信号が入力されていないものとして照明負荷を制御することを意味する。
【００２２】
本発明によれば、他のシステムから外部信号が入力されると、照明負荷が予め設定した照明状態に制御されるとともに、スイッチ装置の表示手段が点灯される。この後、スイッチ装置のスイッチ部が操作され、スイッチ装置から操作信号が出力されると、他のシステムからの外部信号による照明負荷の制御が停止される。
【発明の効果】
【００２３】
請求項１の発明によれば、光センサ装置の検出信号に応じて、点灯している照明負荷が消灯または調光されると、スイッチ装置の表示手段が点灯されるので、この表示手段の点灯を視認することにより、光センサ装置の検出信号に応じて、点灯している照明負荷が消灯または調光されたことを認識することができる。この後、スイッチ装置のスイッチ部を操作することによって、光センサ装置の検出信号に応じた照明負荷を消灯または調光させる制御が停止されるので、光センサ装置の検出信号に係らず、照明負荷を点灯状態にすることができる。
【００２４】
請求項２の発明によれば、光センサ装置から検出信号が出力されなくなると、光センサ装置の検出信号に応じた照明負荷の制御の停止がリセットされるので、手動操作により例えばスイッチ装置側で当該リセットをする煩わしさを解消することができる。
【００２５】
請求項３の発明によれば、他のシステムから外部信号が入力され、照明負荷が予め設定した照明状態に制御されると、スイッチ装置の表示手段が点灯されるので、この表示手段の点灯を視認することにより、照明負荷が強制的に予め設定された照明状態で制御されていることを認識することができる。この後、スイッチ装置のスイッチ部を操作することによって、他のシステムからの外部信号による照明負荷の制御が停止されるので、照明負荷を本発明の照明制御システムにおいて制御することができる。
【発明を実施するための最良の形態】
【００２６】
以下、本発明の一実施の形態について、図面を参照して説明する。まず、本発明の第１の実施形態について説明する。
【００２７】
図１〜図４は、本発明の第１の実施形態を示し、図１は照明制御システムのブロック図、図２は照明制御システムの概略配置図、図３はスイッチ装置の概略斜視図、図４は照明制御システムの動作図である。
【００２８】
図１において、照明制御システム１は、光センサ装置２、監視端末器３、タイムスケジュール装置４、制御端末器５、伝送ユニット６およびスイッチ装置７を有して構成されている。
【００２９】
光センサ装置２は、光センサ８、光センサ制御装置９および接点入力ターミルナルユニット（Ｔ／Ｕ）１０を有して構成されている。光センサ８は、図２に示すように、照明器具２０（照明負荷２１）により照明される照明領域のうち、窓際側の照明領域の明るさを検出するものである。通常、窓３９に沿って複数の光センサ８が天井面４０に設けられている。そして、光センサ制御装置９は、光センサ８が所定レベル以上の明るさを検出したときに検出信号を出力する。そして、接点入力Ｔ／Ｕ１０は、当該検出信号を伝送線１１に出力するように構成されている。なお、光センサ制御装置９は、交流電源を入力して駆動し、接点入力Ｔ／Ｕ１０は、リモコントランス１２より直流電源が入力されて駆動する。
【００３０】
監視端末器３は、外部操作手段としての壁スイッチ１３および壁スイッチ１４を有して構成され、それぞれの壁スイッチ１３，１４から照明負荷２１を点灯させる点灯信号または消灯させる消灯信号を伝送線１１に出力する。すなわち、壁スイッチ１３，１４は、照明負荷２１を強制的に点消灯させるものであり、図２に示すように、部屋４１の壁面４２ａに設けられている。そして、壁スイッチ１３，１４は、通常、窓３９に沿う方向と直交する方向に配設されている照明負荷２１を点消灯させている。
【００３１】
タイムスケジュール装置４は、接点入力ターミナルユニット(Ｔ／Ｕ)１５、タイマ部１６および図示しない記憶部を有して構成されている。記憶部には、照明負荷２１を点灯させる時刻および消灯させる時刻が記憶されている。タイマ部１６は、計時し、照明負荷２１を点灯させる時刻または消灯させる時刻になると、タイム検出信号を接点入力Ｔ／Ｕ１５に送出する。接点入力Ｔ／Ｕ１５は、タイム検出信号に応じて照明負荷２１を点灯させる点灯信号および消灯させる消灯信号を伝送線１１に出力するように構成されている。なお、接点入力Ｔ／Ｕ１５は、リモコントランス１７より直流電源が入力されて駆動する。また、記憶部に記憶されている照明負荷２１を点灯させる時刻および消灯させる時刻は、フリーアドレス設定器１８を用いて予め設定されている。
【００３２】
制御端末器５は、制御用ターミナルユニット（Ｔ／Ｕ）１９および照明器具２０を有して構成されている。制御用Ｔ／Ｕ１９には、複数の照明器具２０が接続されている。そして、それぞれの照明器具２０に、照明負荷２１が配設されている。照明負荷２１は、例えば蛍光ランプである。制御用Ｔ／Ｕ１９は、伝送線１１を介して伝送ユニット６から照明負荷２１を点灯または消灯あるいは調光させる制御信号が入力される。そして、照明電源を入力して駆動するとともに、照明負荷２１を点灯させる制御信号が入力されると、照明器具２０に照明電源を供給して照明負荷２１を点灯させるように構成されている。また、照明負荷２１を消灯させる制御信号が入力されると、照明器具２０への照明電源を遮断して照明負荷２１を消灯させ、照明負荷２１を調光させる制御信号が入力されると、照明負荷２１の電力を調節して調光させるように構成されている。
【００３３】
伝送ユニット６は、伝送インターフェース（Ｉ／Ｆ）部２２および制御手段としての主制御部２３を有して構成されている。伝送Ｉ／Ｆ部２２は、壁スイッチ１３，１４から送出された点灯信号および消灯信号、タイムスケジュール装置４から送出された点灯信号および点灯信号、光センサ装置２から送出された検出信号および後述のスイッチ装置７から出力された操作信号が伝送線１１を介して入力され、これらの信号を主制御部２３に入力させるとともに、主制御部２３で演算処理された照明負荷２１を点灯または消灯あるいは調光させる制御信号、スイッチ装置７の表示手段を点灯させる制御信号を伝送線１１に出力するように構成されている。
【００３４】
主制御部２３は、ＣＰＵ、ＲＡＭおよびプログラムが格納されたＲＯＭなどを有して構成されている。そして、主制御部２３は、壁スイッチ１３，１４またはタイムスケジュール装置４からの点灯信号(消灯信号)が入力されると、制御端末器５の制御用Ｔ／Ｕ１９に照明負荷２１を点灯(消灯)させる制御信号を送出する。制御用Ｔ／Ｕ１９は、当該制御信号に応じて照明負荷２１を点灯(消灯)させる。
【００３５】
そして、主制御装置２３は、壁スイッチ１３，１４の操作による点灯信号または消灯信号に応じた制御およびタイムスケジュール装置４からの点灯信号(消灯信号)に応じた制御に優先して光センサ装置２から入力された検出信号に応じて照明負荷２１を制御する。
【００３６】
そして、主制御装置２３は、照明負荷２１が点灯しているときに、光センサ装置２から検出信号が入力されると、制御端末器５の制御用Ｔ／Ｕ１９に照明負荷２１を消灯(調光)させる制御信号を送出して、制御端末器５の制御用Ｔ／Ｕ１９に照明負荷２１を消灯(調光)させる。すなわち、主制御装置２３は、光センサ８が所定レベル以上の明るさを検出して光センサ装置２から検出信号が出力されたときに照明負荷２１を消灯(調光)させ、光センサ８が所定レベル以上の明るさを検出していなく光センサ装置２から検出信号が出力されないときに照明負荷２１を点灯させるように制御する。
【００３７】
また、主制御装置２３は、光センサ装置２から検出信号が入力され、この検出信号に応じて照明負荷２１を消灯(調光)しているときに、スイッチ装置７から操作信号が入力されると、制御端末器５の制御用Ｔ／Ｕ１９に照明負荷２１を点灯させる制御信号を送出して、制御端末器５の制御用Ｔ／Ｕ１９に照明負荷２１を点灯させるように構成されている。すなわち、スイッチ装置７から操作信号が出力されたときに光センサ装置２から出力された検出信号に応じた照明負荷２１の制御(照明負荷２１の消灯(調光))を停止させるように制御する。
【００３８】
そして、主制御部２３は、スイッチ装置７から操作信号が出力され、この操作信号に応じて照明負荷２１を点灯させているときに、光センサ８が所定レベル以上の明るさを検出しなくなり、光センサ装置２から検出信号が出力されなくなると、光センサ装置２から出力された検出信号に応じた照明負荷２１の制御(照明負荷２１の消灯(調光))を停止することをリセットするように構成されている。すなわち、光センサ装置２から検出信号が出力されなくなると、以後、照明負荷２１は、光センサ装置２から検出信号が出力されたときに消灯(調光)され、光センサ装置２から検出信号が出力されないときに点灯される。
【００３９】
そして、主制御部２３は、光センサ装置２から出力された検出信号に応じて照明負荷２１が消灯(調光)されているとき、後述の一方の表示ランプ２６を点灯させる制御信号Ａ１をスイッチ装置７に出力する。また、光センサ装置２からの検出信号の有無に関係なく、照明負荷２１が点灯されているとき、後述の他方の表示ランプ２５を点灯させる制御信号Ａ２をスイッチ装置７に出力する。
【００４０】
スイッチ装置７は、図３に示すように、箱状の器体２４、器体２４の表面２４ａに露出するように設けられた表示手段としての表示ランプ２５，２６およびスイッチ部としての手動スイッチ２７、器体２４の内部に配設された制御装置２８を有して構成されている。表示ランプ２５，２６は、それぞれ緑色光を発する発光ダイオード、赤色光を発する発光ダイオードで形成されている。そして、スイッチ装置７は、図２に示すように、器体２４が壁４２ｂに埋設され、または壁４２ｂに取り付けられているとともに、制御装置２８が伝送線１１に接続されている。
【００４１】
主制御部２３から送出された前記制御信号Ａ１および前記制御信号Ａ２は、制御装置２８に入力される。そして、制御装置２８は、制御信号Ａ１に応じて表示ランプ２６を点灯させ、制御信号Ａ２に応じて表示ランプ２５を点灯させる。
【００４２】
また、制御装置２８は、手動スイッチ２７の操作により、操作信号を伝送線１１に出力して主制御部２３に送出するように構成されている。この操作信号は、主制御部２３に対して、光センサ装置２から出力された検出信号に応じた照明負荷２１の制御を停止させる。すなわち、主制御部２３の制御により、照明負荷２１が光センサ装置２からの検出信号に応じて消灯(調光)されている状態を点灯状態にさせる。
【００４３】
図１において、伝送線１１には、端末通信ユニット２９が接続されている。この端末通信ユニット２９から照明負荷２１を点灯、消灯または調光させることができる。また、端末通信ユニット２９は、通信線３０を介してホスト通信ユニット３１に接続され、ホスト通信ユニット３１は、通信線３２を介してホストコンピュータ３３に接続されている。このホストコンピュータ３３からも照明負荷２１が点灯、消灯または調光される。
【００４４】
なお、光センサ装置２の接点入力Ｔ／Ｕ１０、監視端末器３の壁スイッチ１３，１４、タイムスケジュール装置４の接点入力Ｔ／Ｕ１５および制御端末器５の制御用Ｔ／Ｕ１９は、フリーアドレス設定器１８によってそれぞれアドレスが設定され、伝送ユニット６の主制御部２３による制御が対応付けられている。
【００４５】
次に、図４を用いて、照明制御システム１の動作について説明する。
【００４６】
図中、表示ランプ２５および表示ランプ２６の点灯状態は、斜線で示す。
【００４７】
壁スイッチ１３，１４が消灯操作され、また、タイムスケジュール装置４から点灯信号が送出されないとき、伝送ユニット６の主制御部２３の制御により、照明負荷２１は消灯している。このとき、スイッチ装置７の表示ランプ２５および表示ランプ２６は消灯している。
【００４８】
そして、壁スイッチ１３，１４で点灯操作されると、主制御部２３は、照明負荷２１を点灯させる。また、表示ランプ２５を点灯させる(Ｔ１時点)。
【００４９】
照明負荷２１が点灯しているときに、光センサ８が所定レベル以上の明るさを検出し、光センサ装置２から検出信号が出力されると(Ｔ２時点)、主制御部２３は、壁スイッチ１３，１４の点灯操作による制御に優先して、照明負荷２１を消灯させるとともに、表示ランプ２５を消灯させ、表示ランプ２６を点灯させる。照明負荷２１が点灯状態から消灯したときに、表示ランプ２６の点灯を視認することにより、光センサ８が所定レベル以上の明るさを検出し、照明負荷２１が消灯されたことを確認することができる。
【００５０】
光センサ８が所定レベル以上の明るさを検出し、照明負荷２１が消灯しているときに、照明負荷２１を点灯させたいとき、スイッチ装置７の手動スイッチ２７を操作する(Ｔ３時点)。すると、主制御部２３の制御により、照明負荷２１は消灯状態から点灯される。また、主制御部２３は、表示ランプ２６を消灯させ、表示ランプ２７を点灯させる。
【００５１】
そして、光センサ８が所定レベル以上の明るさを検出しなくなると、光センサ装置２から検出信号が出力されなくなる(Ｔ４時点)。このとき、主制御部２３は、光センサ装置７の検出信号に応じた照明負荷２１の制御の停止をリセットする。そして、照明負荷２１は点灯状態に維持される。
【００５２】
光センサ装置２から検出信号が出力されなくなると、自動的に、主制御部２３により、光センサ装置７の検出信号に応じた照明負荷２１の制御の停止がリセットされるので、当該リセットを例えばスイッチ装置７の手動スイッチ２７で行う手間が要しなくなる。
【００５３】
そして、壁スイッチ１３，１４で消灯操作されると、主制御部２３は、照明負荷２１を消灯させるとともに、表示ランプ２５を消灯させる(Ｔ５時点)。
【００５４】
壁スイッチ１３，１４が消灯操作され、また、タイムスケジュール装置４から点灯信号が送出されていないときに、光センサ装置２から検出信号が出力されても、主制御部２３は照明負荷２１を消灯させる(Ｔ６時点)。
【００５５】
そして、タイムスケジュール装置４から点灯信号が出力されると、光センサ８が所定レベル以上の明るさを検出し、光センサ装置２から検出信号が出力されているので、主制御部２３は、照明負荷２１を点灯させず、消灯状態を維持する。しかし、主制御部２３は、表示ランプ２６を点灯させる（Ｔ７時点）。すなわち、主制御部２３は、タイムスケジュール装置４からの点灯信号に優先して、光センサ装置２からの検出信号に応じて照明負荷２１を制御するので、照明負荷２１は消灯される。そして、タイムスケジュール装置４により、照明負荷２１が点灯されるにも係わらず消灯しているときに、表示ランプ２６の点灯を視認することにより、光センサ８が所定レベル以上の明るさを検出し、照明負荷２１が点灯されないことを確認することができる。
【００５６】
光センサ８が所定レベル以上の明るさを検出し、照明負荷２１が消灯されているときに、照明負荷２１を点灯させたいとき、スイッチ装置７の手動スイッチ２７を操作する(Ｔ８時点)。すると、スイッチ装置７から操作信号が主制御部２３に入力される。主制御部２３は、光センサ装置２の検出信号に応じた照明負荷２１の制御を停止し、照明負荷２１は消灯状態から点灯される。また、主制御部２３は、表示ランプ２６を消灯させ、表示ランプ２７を点灯させる。
【００５７】
そして、光センサ装置２から検出信号が出力されなくなると、主制御部２３は、光センサ装置２の検出信号に応じた照明負荷２１の制御の停止をリセットし、以降、照明負荷２１は点灯状態に維持される(Ｔ９時点)。
【００５８】
そして、タイムスケジュール制御４から消灯信号が出力されると、主制御部２３は、照明負荷２１を消灯させるとともに、表示ランプ２５を消灯させる(Ｔ１０時点)。
【００５９】
上述したように、光センサ装置２から検出信号が出力され、主制御部２３の制御により、照明負荷２１が消灯されているときに、スイッチ装置７の表示ランプ２６が点灯されるので、表示ランプ２６の点灯を視認することにより、光センサ８が所定レベル以上の明るさを検出していることにより、照明負荷２１が消灯していることを確認することができる。
【００６０】
そして、光センサ８が所定レベル以上の明るさを検出していることにより、照明負荷２１が消灯されているときに、スイッチ装置７の手動スイッチ２７を操作して操作信号を出力することにより、照明負荷２１を点灯させることができる。すなわち、図２において、部屋４１で例えば重要な会議や接客などをしているとき、消灯した照明負荷２１を点灯させたいときがある。このとき、主制御部２３は、壁スイッチ１３，１４の点灯信号に応じた照明負荷２１の制御よりも光センサ装置２からの検出信号に応じた照明負荷２１の制御を優先させるので、壁スイッチ１３，１４の点灯操作によって照明負荷２１を点灯させることはできない。ここで、スイッチ装置７の手動スイッチ２７を操作することにより、照明負荷２１を点灯させることができる。
【００６１】
そして、光センサ８が一旦所定レベル以上の明るさを検出しなくなると、以後、光センサ装置２の検出信号に応じて照明負荷２１を点灯または消灯(調光)させることができる。
【００６２】
次に、本発明の第２の実施形態について述べる。
【００６３】
図５〜図６は、本発明の第２の実施形態を示し、図５は照明制御システムのブロック図、図６は照明制御システムの動作図である。なお、図１〜図３と同一部分には同一符号を付して説明は省略する。
【００６４】
図５に示す照明制御システム３４は、制御端末器５、伝送ユニット６、スイッチ装置７および入力装置３５を有して構成されている。
【００６５】
入力装置３５は、リレー接点からなる入力部３６および強制パターン制御用接点入力ターミナルユニット（Ｔ／Ｕ）３７を有して構成されている。入力部３５には、他のシステムからの外部信号が入力される。この外部信号は、例えば警備会社の防犯設備からの防犯信号、火災報知設備からの火災報知信号または管理室からの管理信号などである。強制パターン制御用接点入力Ｔ／Ｕ３７は、入力部３６に他のシステムからの外部信号が入力されると、制御信号を伝送線１１に出力する。この制御信号は、伝送線１１を介して伝送ユニット６の主制御部２３に入力される。なお、強制パターン制御用接点入力Ｔ／Ｕ３７は、リモコントランス３８から直流電源が供給されて駆動する。
【００６６】
そして、主制御部２３は、入力装置３５から制御信号が入力されると、制御端末器５の制御用Ｔ／Ｕ１９に照明負荷２１を予め設定した照明状態、例えば点灯、消灯または調光状態にさせる制御信号を送出する。制御用Ｔ／Ｕ１９は、当該制御信号に応じて照明負荷２１を予め設定した照明状態にする。すなわち、主制御装置２３は、入力装置３５から出力された制御信号に応じて照明負荷２１を予め設定した照明状態に制御するように構成されている。
【００６７】
また、主制御装置２３は、入力装置３５から出力された制御信号に応じて照明負荷２１が制御されているとき、すなわち、予め設定した照明状態に制御されているとき、スイッチ装置７に制御信号を送出して、スイッチ装置７の表示ランプ２６を点灯させるように制御するように構成されている。すなわち、スイッチ装置７の制御装置２８に表示ランプ２６を点灯させる制御信号を出力して、制御装置２８に表示ランプ２６を点灯させる。
【００６８】
また、主制御装置２３は、スイッチ装置７から操作信号が出力されたときに、入力装置３５から出力された制御信号に応じた照明負荷２１の制御を停止するように構成されている。すなわち、照明負荷２１は、主制御部２３により、入力装置３５から制御信号を入力していない状態と同様に制御される。
【００６９】
そして、スイッチ装置７は、手動スイッチ２７の操作により、操作信号を伝送線１１に出力して主制御部２３に送出するように構成されている。この操作信号は、主制御部２３が入力装置３５から出力された制御信号に応じて照明負荷２１を予め設定した照明状態に制御することを停止させるものである。
【００７０】
次に、図６を用いて、照明制御システム３４の動作について説明する。なお、予め設定した照明状態は、点灯とする。
【００７１】
壁スイッチ１４が消灯操作されているとき、伝送ユニット６の主制御部２３の制御により、照明負荷２１は消灯している。このとき、スイッチ装置７の表示ランプ２５および表示ランプ２６は消灯している。
【００７２】
そして、入力装置３５の入力部３６に他のシステムから外部信号が入力され、入力装置３５から制御信号が出力されると、主制御部２３は、照明負荷２１を強制的に点灯（予め設定した点灯状態）させるとともに、表示ランプ２６を点灯させる(Ｔ１時点)。この照明負荷２１の強制点灯中に、壁スイッチ１４の消灯操作が行われ、壁スイッチ１４から主制御部２３に消灯信号が送出されても、主制御部２３は、照明負荷２１を消灯させない(Ｔ２時点)。
【００７３】
照明負荷２１が消灯状態から点灯したときに、表示ランプ２６の点灯を視認することにより、他のシステムから外部信号が入力され、主制御部２３の制御により、照明負荷２１が強制的に点灯されたことを確認することができる。
【００７４】
照明負荷２１の強制点灯中に、照明負荷２１を消灯させたいとき、スイッチ装置７の手動スイッチ２７を操作する(Ｔ３時点)。すると、スイッチ装置７から操作信号が出力され、主制御部２３は、入力装置３５からの制御信号に応じた照明負荷２１の制御の停止し、照明負荷２１の強制点灯は消灯される。また、主制御部２３は、表示ランプ２６を消灯させる。
【００７５】
そして、他のシステムから外部信号が入力装置３５の入力部３６に入力されなくなる(Ｔ４時点)と、主制御部２３は、入力装置３５からの制御信号に応じた照明負荷２１の制御の停止をリセットし、以後、主制御部２３による通常の制御が行われる。照明負荷２１は、スイッチ装置７の手動スイッチ２７の操作に応じて消灯されているので、消灯状態に維持される。
【００７６】
そして、壁スイッチ１４で点灯操作されると、主制御部２３は、照明負荷２１を点灯させるとともに、表示ランプ２５を点灯させる(Ｔ５時点)。そして、当該照明負荷２１の点灯中に、他のシステムから外部信号が入力装置３５に入力されると(Ｔ６時点)、主制御部２３の制御により、照明負荷２１は強制点灯に移行する。この照明負荷２１の強制点灯中の期間(Ｔ６時点〜Ｔ７時点)、表示ランプ２５は消灯され、表示ランプ２６が点灯される。
【００７７】
上述したように、他のシステムから外部信号が入力され、主制御部２３の制御により、照明負荷２１が予め設定した照明状態に制御されているときに、スイッチ装置７の表示ランプ２６が点灯されるので、表示ランプ２６の点灯を視認することにより、他のシステムからの外部信号により、照明負荷２１が照明制御されていることを確認することができる。
【００７８】
そして、他のシステムからの外部信号により照明負荷２１が照明制御されているときに、スイッチ装置７の手動スイッチ２７を操作して操作信号を出力することにより、照明負荷２１を本発明の照明制御システム３４において照明制御させることができる。例えば、警備会社の防犯装置や火災設備などが故障したときや従事者による外部信号の解除忘れなど、外部信号が入力される理由がなくなっても、入力装置３５に外部信号が入力されるとき、スイッチ装置７の手動スイッチ２７を操作して操作信号を出力する。また、デパート等において、来客者に照明負荷２１の照明制御をさせたくないとき、管理室からの外部信号により強制的に照明状態を固定することが行われている。このとき、従業員が一時的に照明状態を変更するとき、スイッチ装置７の手動スイッチ２７が操作される。
【図面の簡単な説明】
【００７９】
【図１】本発明の第１の実施形態を示す照明制御システムのブロック図。
【図２】同じく、照明制御システムの概略配置図。
【図３】同じく、スイッチ装置の概略斜視図。
【図４】同じく、照明制御システムの動作図。
【図５】本発明の第２の実施形態を示す照明制御システムのブロック図。
【図６】同じく、照明制御システムの動作図。
【符号の説明】
【００８０】
１，３４…照明制御システム
２…光センサ装置
７…スイッチ装置
１３，１４…外部操作手段としての壁スイッチ
２１…照明負荷
２３…制御手段としての主制御部
３５…入力装置
【図１】
2005276631.tif 000003
【図２】
2005276631.tif 000004
【図３】
2005276631.tif 000005
【図４】
2005276631.tif 000006
【図５】
2005276631.tif 000007
【図６】
2005276631.tif 000008